(57)【要約】包装体（１３、６３）、好ましくは厚紙複合包装体に追加要素（２）、特にストローを貼着するための貼着装置（２３、６１）が説明および図示される。高速で、かつ適度の設備の複雑さによって貼着が信頼性高く行われ得るように、少なくとも２つの貼着器（２２）が設けられ、これらの貼着器（２２）は、共通の周囲搬送トラック（１５）に沿って追加要素（２）を取り出すための取り出し位置（２４）から包装体（１３、６３）に追加要素（２）を貼着するための貼着位置（２７）まで、および後方へと調整可能であり、かつそれぞれが追加要素（２）を包装体（１３、６３）に押し付けるための少なくとも１つの貼着用フィンガー（３０）を含むことが提供される。【選択図】図２
2020518519.tif 000002
【特許請求の範囲】
【請求項１】
包装体（１３、６３）、好ましくは厚紙複合包装体に追加要素（２）、特にストローを貼着するための貼着装置（２３、６１）において、
少なくとも２つの貼着器（２２）が設けられ、前記貼着器（２２）は、共通の周囲搬送トラック（１５）に沿って前記追加要素（２）を取り出すための取り出し位置（２４）から前記包装体（１３、６３）に前記追加要素（２）を貼着するための貼着位置（２７）まで、および後方へと調整可能であり、かつそれぞれが前記追加要素（２）を前記包装体（１３、６３）に押し付けるための少なくとも１つの貼着用フィンガー（３０）を含むこと、を特徴とする、貼着装置。
【請求項２】
前記少なくとも２つの貼着器（２２）は、前記周囲搬送トラック（１５）の上に均一に分散されることを特徴とする、請求項１に記載の貼着装置。
【請求項３】
前記周囲搬送トラック（１５）は円形トラックであり、好ましくは前記貼着器（２２）は、位置決め回転軸（２６）の周りを回転する貼着ホイール（２８、６７）および／または貼着カルーセルに固着されることを特徴とする、請求項１または２に記載の貼着装置。
【請求項４】
前記貼着用フィンガー（３０）は前記追加要素（２）を少なくとも部分的に受け取り、かつ／または保持するために設計されることを特徴とする、請求項１〜３の何れか一項に記載の貼着装置。
【請求項５】
前記貼着器（２２）はそれぞれ基部（４９）を含み、前記貼着器（２２）の前記少なくとも１つの貼着用フィンガー（３０）は前記基部（４９）に対して枢動軸（５０）の周りを枢動可能であるように設けられることを特徴とする、請求項１〜４の何れか一項に記載の貼着装置。
【請求項６】
前記追加要素（２）と前記追加要素（２）とを接触させて、前記追加要素（２）をそれぞれ少なくとも部分的に前記取り出し位置（２４）と前記貼着位置（２７）との間で案内するために、前記追加要素（２）を案内するための追加要素ガイド（２５）が設けられ、好ましくは、前記追加要素（２）を前記追加要素ガイド（２５）に押し付けるために前記貼着器（２２）の前記貼着用フィンガー（３０）が設けられることを特徴とする、請求項１〜５の何れか一項に記載の貼着装置。
【請求項７】
前記貼着用フィンガー（３０）は、前記追加要素（２）を保持し、前記追加要素（２）を前記追加要素ガイド（２５）に押し付け、かつ／または前記追加要素（２）を前記包装体（１３、６３）に押し付けるためにバネで荷重および／または予め荷重されることを特徴とする、請求項１〜６の何れか一項に記載の貼着装置。
【請求項８】
前記貼着用フィンガー（３０）に隣接する前記貼着器（２２）は、前記追加要素（２）の前記搬送デバイス（１４）において前記貼着用フィンガー（３０）によって少なくとも部分的に保持される前記追加要素（２）を噛み合う方式で案内するためのガイドフィンガー（２９）を含むことを特徴とする、請求項１〜７の何れか一項に記載の貼着装置。
【請求項９】
前記貼着器（２２）はそれぞれ配向枢動軸（６８）の周りを取り出し配向から貼着配向まで、および後方へと枢動可能であり、好ましくは前記貼着器（２２）の前記配向枢動軸（６８）は、前記貼着ホイール（２８、６７）および／または貼着カルーセルの前記位置決め回転軸（２６）に対して傾けられて、特に少なくとも実質的に垂直に配向されることを特徴とする、請求項１〜８の何れか一項に記載の貼着装置。
【請求項１０】
包装体（１３、６３）、好ましくは厚紙複合包装体に追加要素（２）、特にストローを貼着するための貼着デバイス（１、６０）であって、包装体搬送トラックに沿って前記包装体（１３、６３）を搬送するための少なくとも１つの搬送装置（１４）を有する、貼着デバイス（１、６０）において、
前記包装体搬送トラック（１５）に沿って搬送される前記包装体（１３、６３）に前記追加要素（２）を貼着するために、請求項１〜９の何れか一項に記載の貼着装置（２３）が設けられること、を特徴とする、貼着デバイス（１、６０）。
【請求項１１】
好ましくは請求項１〜９の何れか一項に記載の貼着装置（６１）によって、包装体（１３、６３）、特に厚紙複合包装体に追加要素（２）、特にストローを貼着するための方法であって、
−  好ましくは少なくとも実質的に均一に分散された前記少なくとも２つの貼着器（２２）が、共通の周囲搬送トラック（１５）に沿って前記追加要素（２）を取り出すための取り出し位置（２４）から前記包装体（１３、６３）に前記追加要素（２）を貼着するための貼着位置（２７）まで、および後方へと調整され、
−  前記貼着位置（２７）において、前記追加要素（２）はそれぞれ前記貼着器（２２）の少なくとも１つの貼着用フィンガー（３０）によって前記包装体（１３、６３）に押し付けられる、
方法。
【請求項１２】
前記貼着器（２２）は、回転する貼着ホイール（２８、６７）および／または貼着カルーセル上に好ましくは配置されて、円形トラックに関して回転する、請求項１１に記載の方法。
【請求項１３】
−  前記貼着器（２２）から前記追加要素（２）を取り出すときに、貼着用フィンガー（３０）は復元力に対して調整され、特に枢動され、かつ／または
−  前記追加要素（２）は少なくとも部分的に、前記取り出し位置（２４）と前記貼着位置（２７）との間で、バネで荷重および／もしくは予め荷重された貼着用フィンガー（３０）によって特に窪みの中に保持され、かつ／または
−  前記追加要素（２）は少なくとも部分的に、前記取り出し位置（２４）と前記貼着（２７）との間で、バネで荷重および／または予め荷重された貼着用フィンガー（３０）によって前記追加要素（２）を案内するための追加要素ガイド（２５）に押し付けられ、かつ／または
−  前記追加要素（２）は前記貼着位置（２７）において、バネで荷重および／または予め荷重された貼着用フィンガー（３０）によって前記包装体（１３、６３）に押し付けられる、
請求項１１または１２に記載の方法。
【請求項１４】
前記追加要素（２）は前記取り出し位置（２４）と前記貼着位置（２７）との間で、ガイドフィンガー（２９）によって前記貼着用フィンガー（３０）に隣接して少なくとも部分的に噛み合う方式で案内および／または保持される、請求項１１〜１３の何れか一項に記載の方法。
【請求項１５】
−  前記取り出し位置（２４）と前記貼着位置（２７）との間の前記貼着器（２２）は、それぞれ配向枢動軸（６８）の周りを取り出し配向から貼着配向まで枢動され、
−  好ましくは、前記貼着器（２２）は、前記貼着器ホイール（２８、６７）および／または貼着カルーセルの前記位置決め回転軸（２６）に対して少なくとも実質的に垂直である前記配向枢動軸（６８）の周りを枢動される、
請求項１１〜１４の何れか一項に記載の方法。
【発明の詳細な説明】
【技術分野】
【０００１】
本発明は、包装体、好ましくは厚紙複合包装体に追加要素、特にストローを貼着するための貼着装置に関する。加えて本発明は、包装体、好ましくは厚紙複合包装体に追加要素、特にストローを貼着するための貼着デバイスに関し、この貼着デバイスは、包装体搬送トラックに沿って包装体を搬送するための少なくとも１つの搬送デバイスを有する。本発明はさらに、好ましくは上述のタイプの貼着装置を用いて、包装体、好ましくは厚紙複合包装体に追加要素、特にストローを貼着するための方法に関する。
【背景技術】
【０００２】
包装体は包装と、その中に収容される被包装品とによって形成される。たとえばビン、チューブ状の袋、缶などが包装であり得てもよい。本包装は主に、ビンまたは缶の代替品として用いられる複合包装体である。対応する包装は主に、いわゆる充填機において被包装品が充填されて密封され、厚紙複合包装体に対する充填機は、特定的に包装を形成し、包装を充填し、包装を密封するというその主要機能に基づいて、しばしば形成／充填／密封機とも呼ばれる。
【０００３】
被包装品となり得るものは特に流動可能であり、すなわち液体または少なくともペースト状であり、必要に応じて塊状の部分も含有し得る。乾燥した粒子状の被包装品も除外されないが、実際に顕著な役割は果たさない。しばしば、たとえば特に牛乳、ジュース、ネクター、乳製品、およびスープなどの飲料などの食品が包装に収容される。飲料の場合、厚紙複合包装体は飲料用カートン複合包装体とも呼ばれる。
【０００４】
複合包装体は、いわゆる包装ラミネートというシート様の層構造を形成する相互接続された包装材料から形成される。厚紙複合包装体は厚紙層を有し、この厚紙層は包装に安定性を与え、かつ厚紙層の両側に配置されるプラスチック層に対する担体層の役割をし得る。プラスチック層は、たとえば液体バリアなどの役割をする。よってたとえば、包装ラミネート、特に厚紙層への流動可能な製品の浸透、または流動可能な製品の漏出も回避され、外側からの水分の浸透も回避される。さらに、熱可塑性材料を密封させて、包装を形成して包装体を密封するように堅固に結合された密封シームを形成できる。包装ラミネートは、さらなる層および包装材料を含んでもよい。たとえばアルミニウム層は、気体および光に対するバリア効果を提供する。シート様の包装ラミネートを折り畳めるようにするため、すなわちそれを機械によって折り畳めるようにするために、包装ラミネートにはしばしば、後の折り畳み線を予め定める折り目が導入される。折り畳みによって包装の包装端縁を形成し、かつ／または包装の底部および／もしくは頂部の成形を容易にする。ほとんどの包装ラミネートには装飾も印刷される。
【０００５】
包装ラミネートは包装を形成する前に切断でき、それによっていわゆるブランクが作製される。これらはさらに加工されて、いわゆる包装ケーシングブランクにされてもよい。この目的のために、長手方向の端縁が重ね合わされてともに密封されて、長手方向密封シームを形成する。このやり方で、パイプ様ケーシング、またはいわゆる包装ケーシングブランクもしくは包装スリーブが得られる。代替的に、連続的材料、特にロールされた品物として包装ラミネートが設けられてもよく、最初にブランクを作製することなくそこから直接包装が形成され得る。
【０００６】
厚紙複合包装体として設計され得る、たとえば食品に対するものなどの包装体は、外側に追加要素が部分的に設けられ、この追加要素は、たとえば飲料用ストローとも呼ばれるストロー、再密封可能な飲み口および／または開封用構成要素、プルタブとも呼ばれる切り離しタブ、ラベル、またはその類似物などとして設計され得る。この目的のために特殊な貼着デバイスが用いられ、これは貼着デバイスに沿って予め定められた包装体搬送トラックに沿って、搬送デバイスによって包装体を案内する。よって包装体は、包装体に追加要素を取り付けるための貼着装置を通過して案内され、必要に応じて貼着デバイスを通って案内され得る。貼着装置は貼着器を含み、この貼着器は取り出し位置において追加要素を取り出し、貼着位置において包装体搬送トラックに沿って動かされる包装体にそれらの追加要素を順に貼着する。よって追加要素は、包装体に提供された接着剤に押し付けられる。しかし代替的に、接着剤は追加要素にも提供され得る。次いで接着剤は硬化し、ユーザがたとえば包装体内に提供された飲料を消費するなどのために包装体から追加要素を意図的に取り外すまで、追加要素は永続的に包装体に固着され続ける。
【０００７】
対応する貼着デバイスおよび方法は、たとえば特許文献１または特許文献２などから公知である。これらが特に異なる点は、包装体搬送トラックに沿って周期的または連続的に動かされる包装に対して、追加要素の取り付けが行われることである。追加要素の周期的貼着と比べて、追加要素の連続的貼着によって、予期せぬ中断の可能性を顕著に増加させることなく実際に増加され得る貼着速度は、限られた程度でしかない。加えて、貼着デバイスに対する構成の複雑さおよび設備コストは高くなり過ぎるべきではない。
【０００８】
したがって本発明の目的は、高速で、かつ適度の設備の複雑さによって、貼着を信頼性高く行い得るようなやり方で、それぞれ最初に言及されて詳細に前述されたタイプの貼着装置、貼着デバイスおよび方法を設計および洗練することである。
【先行技術文献】
【特許文献】
【０００９】
【特許文献１】独国特許出願公開第２９  ０２  ８９９（Ａ１）号
【特許文献２】欧州特許第１  ０４２  １７２（Ｂ１）号
【発明の概要】
【課題を解決するための手段】
【００１０】
この目的は請求項１の前提部分による貼着装置によって達成され、ここでは少なくとも２つの貼着器が設けられ、これらの貼着器は、共通の周囲搬送トラックに沿って追加要素を取り出すための取り出し位置から包装体に追加要素を貼着するための貼着位置まで、および後方へと調整可能であり、かつそれぞれが追加要素を包装体に押し付けるための少なくとも１つの貼着用フィンガーを含む。
【００１１】
上述の目的は請求項１０の前提部分による貼着デバイスによっても達成され、ここでは包装体搬送トラックに沿って搬送される包装体に追加要素を貼着するために、請求項１〜９の何れか一項に記載の貼着装置が設けられる。
【００１２】
上述の目的はさらに、好ましくは請求項１〜９の何れか一項に記載の貼着装置を用いて、包装体、好ましくは厚紙複合包装体に追加要素、特にストローを貼着するための方法によって達成され、ここでは、
−  好ましくは少なくとも実質的に均一に分散された少なくとも２つの貼着器が、共通の周囲搬送トラックに沿って追加要素を取り出すための取り出し位置から包装体に追加要素を貼着するための貼着位置まで、および後方へと調整され、
−  貼着位置において、追加要素はそれぞれ貼着器の少なくとも１つの貼着用フィンガーによって包装体に押し付けられる。
【００１３】
本発明は、特に閉じた搬送トラックに沿って循環し、よって追加要素を取り出すための取り出し位置から包装体に追加要素を貼着するための貼着位置まで、および後方へと調整可能な少なくとも２つの貼着器を設けることが好都合であることを認識した。このことは一見、先行技術の個別の貼着器よりも設計の点で複雑そうにみえる。しかし、そうではない。貼着器は、互いに悪影響を与えることなく高速で閉じた搬送トラックに沿って周囲方向に動かされ得る。他方で、先行技術の振動的に駆動される貼着器を単に２倍にすることは、技術的に複雑であるだけでなく、貼着用アームの相互の影響によるエラーを引き起こす可能性も高い。
【００１４】
閉じた搬送トラックを循環する貼着器の各々が、包装体に追加要素を押し付けるための少なくとも１つの貼着用フィンガーを含むという事実によって、高い貼着速度においても包装体への追加要素の貼着の信頼性が確実にされる。よって、貼着の地点において包装体に追加要素を貼着するために１つの貼着用フィンガーだけが設けられるのではなく、少なくとも２つの貼着用フィンガーが設けられ、それらは貼着器とともに閉じた搬送トラックを循環し、よって搬送トラックに沿って取り出し位置と貼着位置との間を前方および後方に動かされる。
【００１５】
この場合の包装体は、特に充填された包装または容器を意味することが理解され、その充填物は好ましくは食品、特に流動可能な食品である。こうした食品は、たとえば飲料などであってもよい。食品、特に飲料に対して、たとえばストローなどの追加要素は特定の重要性を有する。
【００１６】
原則として、包装体はたとえばプラスチックなどの異なる材料で作られ得る。しかし、厚紙複合包装体への追加要素の取り付けは特に好都合であり、顧客に所望される。これらはラミネートの形の包装材料でできた包装体を含み、このラミネートは厚紙層と外側のプラスチック層、特にたとえばポリエチレン（ＰＥ）などでできた熱可塑性層とを有してもよい。厚紙が包装に十分な安定性を与えることによって、包装体は容易に取り扱われることができ、たとえば積重ねられ得る。プラスチック層は厚紙を水分から保護し、かつ食品が包装から望ましくない物質を吸収しないように保護する。加えて、たとえば包装材料を通じた酸素およびその他の気体の拡散を防ぐアルミニウム層などのさらなる層が設けられ得る。しかしもし必要であれば、異なる態様で構築された包装材料でできた他の複合包装体も好適となるだろう。
【００１７】
対応する厚紙プラスチック複合包装体の製造において、通常は包装材料から最初に１つの側部が開いた包装が形成され、次いで充填および密封される。完成した包装体は、次いでその直後に、または充填から切り離された別のプロセスにおいて、少なくとも１つの追加要素を設けられ得る。
【００１８】
包装体のタイプにかかわらず、追加要素は特にストローに関し、これは衛生上の理由から個別に包装されてもよい。簡潔さの目的のために、プラスチックフィルムは包装に好適である。いわゆるブリスターパックは、この目的のために特に好ましい。これらは通常、包まれたストローが見える透明な包装である。よってストローまたはその他の追加要素は、たとえば２枚のプラスチックフィルムの間に密封される。包装体にストローが取り付けられることによって、飲料をこぼす危険性なしに飲料を持ち運びながら容易に消費することが可能になる。
【００１９】
しかし、ストローまたは包まれたストローの代わりに、飲み口または閉じ口を追加要素として包装体に配置することもできる。よって包装体の蓋を回し、開き、かつ／または注ぐことが容易にでき、それによって包装された食品の消費が容易になる。しかし、食品の追加要素を追加要素として包装体に提供し、たとえばその追加要素を消費の直前にその他の食品と混合することもできる。ここでは特に調味料、ビタミン、または塊状の部分もしくは同様のものが言及される。顧客情報または広告を追加要素の形で包装体に提供することも想定され得る。これらは紙片または小冊子であり得る。加えて、たとえば玩具またはその類似物などの景品または販促製品を追加要素として包装体に配置することも可能である。
【００２０】
理解しやすくし、かつ不必要な繰り返しを回避するために、貼着装置、貼着デバイス、および追加要素を貼着するための方法を以下に一緒に説明しており、各々の場合に貼着装置と、貼着デバイスと、方法とを詳細に区別していない。しかし与えられた文脈から、貼着装置、貼着デバイス、および方法に関してどの特徴が好ましいかが当業者には明らかであろう。
【００２１】
貼着装置の第１の特に好ましい実施形態において、少なくとも２つの貼着器は周囲搬送トラックの上に均一に分散される。このことはこの方法の制御を簡単にし、かつその実施も簡単にし、したがってその実施をより均一にできる。特に、均一な空間的および時間的間隔にて貼着装置を通過して搬送される包装体に、追加要素を簡単に設けることができる。
【００２２】
この方法、特に設備の複雑さを簡単にするために、閉じた周囲搬送トラックは円形トラックとして形成されてもよい。よって貼着器はたとえば、位置決め回転軸の周りを回転する貼着ホイールの上、および／または位置決め回転軸の周りを回転する貼着カルーセルの上に、特に簡単な方式で固定され得る。貼着器を回転させることによって、貼着器はたとえば取り出し位置および／または貼着位置などに位置決めされる。これは構成的に簡単な方式で実現でき、高い貼着速度においても簡単な方法制御を可能にする。
【００２３】
貼着器による取り出し地点から包装体への追加要素の貼着地点までの追加要素の搬送の信頼性を高めるために、貼着用フィンガーは追加要素を少なくとも部分的に受け取り、かつ／または保持するために設計されることが好都合であってもよい。この目的のために、貼着用フィンガーはたとえば凹みまたは陥没などの形の窪みを有することができ、この窪みの中に追加要素が少なくとも部分的に受け取られてもよく、またはこの窪みの中に追加要素が係合できる。
【００２４】
貼着器の各々が基部を有し、その基部に対して少なくとも１つの貼着用フィンガーが枢動可能に配置されることで、包装体への追加要素の貼着の信頼性が代替的または付加的に改善され得る。簡単さおよび信頼性の理由から、貼着用フィンガーは貼着器上に枢動軸の周りを枢動可能であるように装着される。追加要素の貼着の際に包装体に追加要素を押し付け得るようにするために、関連付けられた貼着器の貼着位置において包装体の方向に貼着用フィンガーが枢動され得ることは、特に好都合である。もし追加要素と包装体とが精密に正確な位置決めによって案内されれば、貼着器の基部に関する貼着用フィンガーの最小限の枢動可能性がここではすでに十分であってもよい。代替的または付加的に、貼着用フィンガーの枢動可能性は貼着器の取り出し位置において提供されて、追加要素のより大きい範囲を貼着器内に受け取るために用いられ得る。この目的または別の目的のために、貼着用フィンガーは好ましくは、閉じた周囲搬送トラックに関して内向きに枢動軸の周りを枢動されてもよい。貼着中またはその後に、次いで貼着用フィンガーを必要に応じて後方に枢動させることができ、それによって取り出し位置またはその前で、貼着器が常に再び開始位置を取ることができる。
【００２５】
追加要素を取り出し位置から貼着位置まで少なくとも部分的に正確に、かつ定められた方式で搬送および案内できるようにするために、追加要素ガイドを用いることが賢明である。追加要素ガイドは、取り出し位置と貼着位置との間で追加要素が少なくとも部分的に追加要素ガイドと接触するように設計および配置され得る。この接触および追加要素ガイドに沿った追加要素の定められた搬送を確実にすることによって、追加要素が貼着器との係合から偶然外れることがないことも確実にでき、このことを確実にするために貼着器、特に貼着用フィンガーは、追加要素が追加要素ガイドに沿って摺動する間、追加要素を追加要素ガイドに押し付ける。
【００２６】
貼着用フィンガーがバネで荷重および／または予め荷重されるとき、貼着用フィンガーの機能が特に好都合に達成され得る。よって、バネで荷重された貼着用フィンガーは少なくとも１つのバネ手段の復元力に対して調整されることができ、ここで予め荷重とは、貼着用フィンガーを調整するために、たとえば復元力などの力が貼着用フィンガーに作用することを意味する。これに関して、バネで荷重された貼着用フィンガーが少なくとも部分的に、または一時的に予め荷重されることが特に好ましい。このバネで荷重および／または予め荷重することによって、たとえば追加要素が保持され、追加要素ガイドに押し付けられ、かつ／または包装体に押し付けられ得る。
【００２７】
貼着用フィンガーに隣接する貼着器が、貼着用フィンガーによって少なくとも部分的に保持される追加要素を噛み合う方式で案内するためのガイドフィンガーを含むとき、追加要素は貼着位置の方向における搬送方向において、さらにより信頼性高く案内され得る。必要に応じて、追加要素は少なくとも部分的に貼着用フィンガーおよびガイドフィンガーによって案内され得る。この場合、追加要素は貼着用フィンガーおよびガイドフィンガーの両方において噛み合う方式で静止できる。代替的または付加的に、ガイドフィンガーは追加要素が貼着用フィンガーから偶然滑り落ちることを防止でき、必要であればそこで初めて追加要素を案内するための動作を始める。
【００２８】
貼着器による追加要素の簡単かつ信頼性高い取り出しを確実にすると同時に、包装体に対する好適な相対的配向での追加要素の貼着を可能にするために、貼着器の各々は、配向枢動軸の周りを取り出し配向から貼着配向まで、および後方へと枢動可能に設計され得る。たとえ両方の調整の動きが互いに重複していても、閉じた周囲搬送トラックに沿った貼着器の調整とは独立して、貼着器および／または追加要素の配向の正確な調整を達成するために、貼着器の配向枢動軸は、貼着ホイールおよび／または貼着カルーセルの位置決め回転軸に関して配向されることが好都合である。これは特に、貼着ホイールおよび／または貼着カルーセルの位置決め回転軸が配向枢動軸に対して垂直に配向される場合である。よって、調整の動きが容易にかつ互いに独立して変更の要求に適合され得る。
【００２９】
方法に関しては、貼着器が円形トラックの周りを回転することが特に簡単である。それによって、貼着の方法全体を制御することが簡単になる。加えて、貼着速度を容易に調整して制御できる。設備および方法に関して、これは特に、貼着器が回転する貼着ホイールおよび／または貼着カルーセルの上に配置される場合である。
【００３０】
貼着器から追加要素を取り出すときに貼着用フィンガーが復元力に対して調整され、特に枢動されるとき、この強制的調整は、復元力の結果として追加要素を少なくとも部分的により信頼性高くかつ正確な方式で取り出し位置と貼着位置との間で保持、案内、および／または貼着するために用いられ得る。よって追加要素は、たとえば少なくとも部分的に、取り出し位置と貼着位置との間で、特に窪みの中に、バネで荷重および／または予め荷重された貼着用フィンガーによって保持され得る。代替的または付加的に、追加要素は少なくとも部分的に、取り出し位置と貼着位置との間で、バネで荷重および／または予め荷重された貼着用フィンガーによって追加要素を案内するための追加要素ガイドに押し付けられ得る。しかし代替的または付加的に、追加要素は貼着位置において、バネで荷重および／または予め荷重された貼着用フィンガーによって包装体に押し付けられ得る。
【００３１】
高い貼着速度においても追加要素の精密かつ正確な搬送を確実にできるようにするために、追加要素をガイドフィンガーによって貼着用フィンガーに隣接している取り出し位置と貼着位置との間で少なくとも部分的に案内および／または保持することが賢明であり得る。よって、取り出し位置から貼着位置への追加要素の搬送中に、追加要素が貼着用フィンガーに対して偶然かつ大幅に滑ることを回避できる。
【００３２】
取り出し位置と貼着位置との間で、貼着器の各々が配向枢動軸の周りを取り出し配向から貼着配向まで枢動されるとき、追加要素は貼着器によって容易に信頼性高く好適な配向で取り上げられて、貼着のために好適な別の配向で包装体に貼着され得る。異なる要求に対して取り出し位置および貼着位置における追加要素の配向を容易に適応させ得るように、かつ信頼性の高い動作を確実にできるようにするために、貼着器が、貼着ホイールおよび／または貼着カルーセルの位置決め回転軸に対して少なくとも実質的に垂直である配向枢動軸の周りを枢動されることが特に好ましい。
【００３３】
２つの例示的実施形態を示す図面を参照して、本発明を以後により詳細に説明する。
【図面の簡単な説明】
【００３４】
【図１】本発明による第１の貼着デバイスを示す概略上面図である。
【図２】本発明による第１の貼着装置を含む、図１の貼着デバイスの詳細を示す概略上面図である。
【図３】図１の貼着デバイスの詳細を示す概略側面図である。
【図４】図１の貼着デバイスのさらなる詳細を示す概略側面図である。
【図５Ａ】図２の貼着装置の貼着器を示す上面図である。
【図５Ｂ】図２の貼着装置の貼着器を示す斜視図である。
【図６】本発明による第２の貼着装置を含む、本発明による第２の貼着デバイスの詳細を示す概略上面図である。
【図７】図６の貼着デバイスの詳細を示す概略側面図である。
【図８】図６の貼着デバイスのさらなる詳細を示す概略側面図である。
【発明を実施するための形態】
【００３５】
図１には、ストローの形の追加要素２を貼着するための貼着デバイス１が示される。貼着デバイス１には、２枚のともに密封された特に透明なプラスチックフィルムでできたベルト３が供給されており、これらのプラスチックフィルムの間にストローが規則的な間隔で提供されている。したがってベルト３は、相互接続された一連のブリスターパック４によって形成されており、かつ供給デバイス５によって引き込まれており、この供給デバイス５は、周囲に分散された窪み７を有する供給用カルーセル６と、供給用カルーセル６の周りに少なくとも部分的に配置されたベルトガイド８とを含む。供給用カルーセル６は、中央の位置決め回転軸９の周りを段階的方式で時計方向に回転する。各回転ステップによって、さらなる追加要素２が供給用カルーセル６の窪み７に受け取られ、加えて追加要素は切断位置１０において、分離デバイス１１によって切断ブレード１２によってベルト３から切断および分離される。
【００３６】
各ストローは、間にそれぞれのストローを密封しているプラスチックフィルムとともに追加要素２を形成し、追加要素２は包装体１３への貼着のために提供される。対応する包装体１３は貼着デバイス１の別の地点において、搬送デバイス１４によって包装体搬送トラック１５に沿って、または貼着デバイス１を通って連続的に搬送される。この目的のために、搬送デバイス１４は、包装体１３の包装体搬送トラック１５の方向に延在する、一連のカム１７を有する搬送ベルト１６を含む。
【００３７】
さらなる回転ステップの後、分離された追加要素２は、供給デバイス５の供給用カルーセル６から送達デバイス１８にリレーされる。個々の追加要素２は各々が送達ホイール２０の窪み１９に入り、送達ホイール２０は波打つ（独：schwelend，英：swelling）方式で、すなわち反復的に変動する速度で反時計方向に回転し、かつ半径方向に隣接する送達ガイド２１と部分的に協働して追加要素２を窪み１９内に保持し、かつ各追加要素２を取り上げられるときの静止状態から、追加要素２をリレーするときの少なくとも実質的に一定の速度で連続的に駆動される貼着装置２３の貼着器２２の周速度まで加速する。貼着器２２は、取り出し位置２４において送達ホイール２０から追加要素２を取り出す。次いで追加要素２は、対応する貼着器２２と追加要素ガイド２５との間を包装体１３の方向に動かされる。この場合、貼着器２２は貼着位置２７に到達し、ここで貼着器２２は関連付けられた追加要素２を、貼着器２２の貼着位置２７を通過して包装体搬送トラック１５に沿って搬送される包装体１３の、特に貼着位置２７において貼着器２２に面する側部表面に送達または貼着する。
【００３８】
追加要素２が包装体１３上に堅固に保持されてとどまるように、包装体１３には予め接着剤が提供されており、追加要素はこの接着剤に押し付けられる。しかし代替的または付加的には、たとえば追加要素２の貼着の直前、またはベルト３の形の追加要素２を供給する前などに、追加要素２に接着剤が提供されてもよい。
【００３９】
図２は、包装体１３に追加要素２を貼着するための貼着器２２を有する貼着装置２３を含む貼着デバイス１の詳細を示す。追加要素２は貼着器２２によって、追加要素ガイド２５上を円弧形状の部分に沿って包装体１３または貼着器２２の貼着位置２７まで搬送される。示される好ましい貼着装置２３は、貼着器を含む貼着器ホイール２８を含み、貼着器はここでは貼着器カルーセルの一部とみなされ得る。貼着器ホイール２８は、好ましくは位置決め回転軸２６の周りを時計方向に連続的に回転する。その後、設けられた貼着器２２は貼着器ホイール２８の位置決め回転軸２６の周りを連続的に円形に動かされる。
【００４０】
貼着器２２はガイドフィンガー２９および貼着用フィンガー３０を含み、これらは送達ホイール２０において係合し、前記送達ホイールから追加要素２を取り出す。この目的のために、追加要素２は送達ホイール２０において係合するリレーデバイス３１との噛み合う接触によって送達ホイール２０から出され、取り出し位置２４において隣接する貼着器２２に入れられる。ガイドフィンガー２９は、示される好ましい貼着器２２に固定されて配置される。ガイドフィンガー２９は、追加要素２が取り出し位置２４から貼着位置２７まで搬送される間、追加要素２を保持および案内する。追加要素２は貼着用フィンガー３０にも保持されており、特に貼着用フィンガー３０の窪みに少なくとも部分的に受け取られている。貼着用フィンガー３０は、取り出し位置２４と貼着位置２７との間に延在する追加要素ガイド２５に接触する追加要素２を保持する。貼着用フィンガー３０は追加要素ガイド２５に対してバネで荷重または予め荷重されることで、ガイドフィンガー３０は追加要素２を追加要素ガイド２５に対して外向きに押し付けて、取り出し位置２４から貼着位置２７への追加要素２の定められた信頼性の高い搬送を確実にする。よって、貼着用フィンガー３０は貼着器２２上で位置決め回転軸２６の方向におけるバネ手段３２の復元力に対して枢動可能に保持される。
【００４１】
追加要素ガイド２５は貼着器２２の貼着位置２７またはその直前で終わっており、この貼着位置２７において貼着用フィンガー３０は追加要素２を包装体１３に押し付け、すなわち貼着する。包装体１３は、貼着器２２の周速度、特に追加要素２の搬送速度に少なくとも実質的に対応する速度にて、貼着器２２の貼着位置２７を通過して案内される。追加要素２の貼着前に、包装体１３も追加要素ガイド２５と接触するが、それは追加要素２と同様の追加要素ガイド２５の内側ガイド表面３４ではなく、外側ガイド表面３３における接触である。よって、包装体１３への追加要素２の送達または貼着の前に、追加要素ガイド２５のガイド表面３３、３４を介して追加要素２および包装体１３は互いに対して配向される。
【００４２】
追加要素２が設けられる包装体１３は傾斜した端縁領域３５を含み、この端縁領域３５は包装体２の隣接する側部表面３６、３７および包装体１３の搬送トラック１５の両方に向かって傾けられている。貼着用フィンガー３０は、貼着位置２７において追加要素２を包装体１３の後部端縁部分３５に押し付ける。その後、包装体１３と追加要素２との間に接着結合が確立されるまで、追加要素２は位置決めベルト３８によって対応する位置に保持される。
【００４３】
図２において、位置決めベルト３８は互いに重なり合って配置されるため、位置決めベルト３８のうちの１つのみが示されている。位置決めベルト３８は、偏心部３９に関して連続的に循環する連続ベルトとして設計される。よって、示される好ましい貼着デバイス１における位置決めベルト３８は、ガイドデバイス４０を介して包装体１３の搬送トラック１５へ、したがって包装体１３自体へと徐々に近づく。加えて位置決めベルト３８はそれぞれ、包装体１３の方向または包装体１３の搬送トラック１５の方向においてベルト部分４１から突出する保持カム４２を含む。保持カム４２は、包装体１３の搬送方向における側部および後部から、包装体１３の搬送方向に見て包装体１３の後部側部に近づく。よってベルト部分４１と、それぞれ１つの保持カム４２と、１つの包装体１３とが、追加要素２を受け取るためのそれぞれの包装体１３の端縁領域３５の受け取り空間４３を形成する。追加要素２は、このやり方で包装体１３上に保持されて、包装体１３に押し付けられる。
【００４４】
示される好ましい貼着デバイス１には、コームデバイス４４が設けられる。コームデバイス４４が追加要素ガイド２５から間隔を置かれることによって、貼着器２２は追加要素ガイド２５とコームデバイス４４との間の中間空間において、包装体１３に追加要素２を貼着できる。追加要素２は、包装体１３の搬送方向においてコームデバイス４４と接触し、包装体１３と位置決めベルト３８との間の受け取り空間４３内に案内されて、位置決めベルト３８から包装体１３に押し付けられる。
【００４５】
包装体１３への追加要素２の貼着位置２７の領域において、位置決めベルト３８は回転軸４５の周りを回転する偏心部３９に関して逸らされる。回転軸４５は、包装体１３への追加要素２の貼着位置２７の方向において、貼着器ホイール２３の位置決め回転軸２６から間隔を置かれている。しかし、回転軸２６、４４は少なくとも実質的に互いに平行に整列される。よって保持カム４２は、包装体１３への追加要素２の案内も、貼着器２２による追加要素２の実際の貼着も妨げない。むしろ、保持カム４２がゆっくりと追加要素２に案内されることで、保持カム４２は追加要素２が包装体１３に貼着されるときにのみ追加要素２と接触する。
【００４６】
図３は、貼着装置２３を含む貼着デバイス１の詳細を示す側面図であり、この側面図からは、貼着器２２の取り出し位置２４から貼着器２２の貼着位置２７への追加要素２の搬送と、搬送ベルト１６によって包装体搬送トラック１５に沿って貼着器ホイール２３を通過して搬送される包装体１３への追加要素２の貼着とをみることができる。送達ホイール２０は間隔を置かれたディスク４６を有し、このディスク４６は追加要素２に対する窪み４７を提供する。リレーデバイス３１のリレーフィンガー４８は、送達ホイール２０のディスク４６の間に係合する。次の追加要素２の送達後、追加要素２は送達ホイール２０によって、追加要素２の速度が、取り出し位置２４における貼着器２２による追加要素２の取り出しの際の貼着器２２の速度に対応するまで加速される。追加要素２を送達ホイール２０から貼着装置２３にリレーする前に、追加要素２は、送達ホイール２０のディスク４６の間に係合するリレーデバイス３１のリレーフィンガー４８に接触する。リレーフィンガー４８において、追加要素２は隣接する貼着器２２の方向に外向きに摺動し、そこから追加要素２が取り上げられる。
【００４７】
この場合、追加要素２は貼着用フィンガー３０をバネ手段３２に対して内向きに押し、同時にガイドフィンガー２９によって案内される。貼着用フィンガー３０は追加要素２を内側から外側へと、隣接する追加要素ガイド２５に押し付ける。追加要素ガイド２５は、実質的に貼着器２２の取り出し位置２４から貼着位置２７まで延在する。このことは、特に図４に詳細にみることができる。追加要素２は追加要素ガイド２５に接触して保持されて、追加要素ガイド２５の内側ガイド表面３４上を摺動する。
【００４８】
しかし図３においては、包装体１３への追加要素２の送達および貼着が示される。貼着器２２の貼着用フィンガー３０は追加要素２を包装体１３に軽くだけでも押し付けることによって、これらの追加要素２は接着剤を介して包装体１３に接着する。この結合は最初は非常に弱いため、追加要素２はコームシート４４および位置決めベルト３８によって包装体１３に保持され、それによって接着剤は特に空気乾燥によって硬化できる。位置決めベルト３８は貼着器ホイール２８の上および下に設けられ、この貼着器ホイール２８上を、周囲に均一な間隔で分散された貼着器２２が位置決め回転軸２６の周りの円形トラックに沿って回転する。
【００４９】
図５Ａ、図５Ｂにおいて、貼着器２２が異なる視点から示されている。貼着器２２は基部４９を含み、貼着器２２はこの基部４９によって貼着器ホイール２３に固着される。ガイドフィンガー２９は、基部４９に関して外向きに延在する。ガイドフィンガー２９に隣接して貼着用フィンガー３０が設けられ、この貼着用フィンガーは枢動軸５０の周りを枢動可能に貼着器２２の基部４９に固着される。加えて、基部４９と貼着用フィンガー３０との間にバネ手段３２が設けられ、このバネ手段は、貼着用フィンガー３０が噛み合いによって妨げられない限り、外側位置への貼着用フィンガー３０の枢動を提供する。これは、貼着器２２が追加要素２を保持していて、貼着用フィンガー３０が追加要素２を外向きに追加要素ガイド２５に対して押し付ける場合である。
【００５０】
図６に、代替的貼着装置６１を有する代替的貼着デバイス６０の詳細が示されている。これらの多くの部分は、図１による貼着デバイス１および貼着装置２３に対応する。したがって、同じ構成要素に対しては同じ参照符号を用い、特定の構成要素のみを再び説明する。図１の貼着デバイス１との実質的な相違点は、位置決めベルト６２が１つだけ設けられていること、およびこの位置決めベルト６２が保持カムを必要としないことである。これは、示される好ましい貼着デバイス６０によって、追加要素２が立方形の包装体６３に対して、包装体６３の側部表面６４上に貼着され、これらの包装体６３は貼着器２２の貼着位置２７において包装体６３の搬送トラック１５に対して少なくとも実質的に平行に配向されるという事実によるものである。
【００５１】
追加要素２は貼着器２２によって保持され、円弧形状のトラック内を追加要素ガイド２５に沿って、貼着位置２７または包装体６３まで案内される。追加要素ガイド２５の端部において、追加要素２は図８に示されるとおりに内側ガイド表面３４において追加要素ガイド２５から案内され、包装体６３は外側ガイド表面３３において案内され、包装体６３はこの外側ガイド表面３３に沿って摺動して追加要素２に対応して配向される。次いで追加要素２は、貼着器２２の貼着位置２７において追加要素ガイド２５から包装体６３の上に直接到達する。この間に貼着器２２は、バネで荷重された貼着用フィンガー３０によって追加要素２を包装体６３に押し付け、包装体６３は対応する地点に接着剤を提供されている。追加要素２のこの送達によって、位置決めベルト６２は追加要素２と接触し、包装体６３と同じ速度で同じ方向に動かされる。包装体６３は、図７に示される搬送ベルト６５によって搬送トラック１５に沿って搬送され、ここで各包装体６３はカム６６と噛み合って係合している。
【００５２】
図７において、図３と類似の側面図において貼着装置６１が示される。図３による貼着装置２３と同様に、貼着器２２は組み合わされて、位置決め回転軸２６の周りを回転する貼着器ホイール６７を形成する。図１の貼着器ホイール２３とは対照的に、貼着器２２は位置決め回転軸２６の周りを回転するときに、配向枢動軸６８の周りを枢動される。
【００５３】
貼着器２２の位置決め回転軸２６の周りの回転および配向枢動軸６８の周りの枢動を同時に行うために、貼着デバイス６１に制御カム６９が設けられる。ローラ７１は、バネ手段７０を介して係合された制御カム６９の上で回転し、これらのローラはそうすることによって、位置決め回転軸２６と平行に上下に調整される。ローラ７１のこの調整は、レバー手段を介して枢動軸６８の周りの貼着器２２の枢動に変換される。類似の制御カム６９を有するカムディスクは、先行技術により一般的に公知である。
【００５４】
貼着器２２を配向枢動軸６８の周りで枢動させることによって、追加要素２は、貼着ホイール６７の位置決め回転軸２６と平行な取り出し配向において貼着器２２によって取り上げられることができ、かつ位置決め回転軸２６に関して傾けられた貼着配向において包装体６３に貼着されることができる。よって追加要素２は、包装体６３の対応する側部表面６４に対して斜めに貼着され得る。よって、包装体６３の高さよりも長い追加要素２、特にストローを問題なく貼着できる。
【００５５】
位置決めベルト６２は偏心部７２に関して循環しており、この偏心部７２も回転軸４５の周りを回転しており、この回転軸４５は、包装体６３または貼着器２２の貼着位置２７の方向において、貼着器ホイール６７の位置決め回転軸２６に関してオフセットになっている。このやり方で、偏心部７２の半径によって、貼着器２２の貼着位置２７の方向において先細になった間隙が追加要素ガイド２５と位置決めベルト６２との間に提供され、この間隙は貼着器２２の貼着位置２７における追加要素２の幅に少なくとも実質的に対応することによって、追加要素２は、追加要素２が貼着用フィンガー３０によって包装体６３に押し付けられてまだ弱い接着結合を提供する貼着位置２７から、位置決めベルト６２によって包装体６３上に保持される。これは接着剤が硬化するまで行われる。
【符号の説明】
【００５６】
１  貼着デバイス
２  追加要素
３  ベルト
４  ブリスターパック
５  供給デバイス
６  供給用カルーセル
７  窪み
８  ベルトガイド
９  位置決め回転軸
１０  切断位置
１１  分離デバイス
１２  切断ブレード
１３  包装体
１４  搬送デバイス
１５  包装体搬送トラック
１６  搬送ベルト
１７  カム
１８  送達デバイス
１９  窪み
２０  送達ホイール
２１  送達ガイド
２２  貼着器
２３  貼着器デバイス
２４  取り出し位置
２５  追加要素ガイド
２６  位置決め回転軸
２７  貼着位置
２８  貼着器ホイール
２９  ガイドフィンガー
３０  貼着用フィンガー
３１  リレーデバイス
３２  バネ手段
３３  外側ガイド表面
３４  内側ガイド表面
３５  端縁領域
３６  側部表面
３７  側部表面
３８  位置決めベルト
３９  偏心部
４０  ガイドデバイス
４１  ベルト部分
４２  保持カム
４３  受け取り空間
４４  コームデバイス
４５  回転軸
４６  ディスク
４７  窪み
４８  リレーフィンガー
４９  基部
５０  枢動軸
６０  貼着デバイス
６１  貼着装置
６２  位置決めベルト
６３  包装体
６４  側部表面
６５  搬送ベルト
６６  カム
６７  貼着器ホイール
６８  配向枢動軸
６９  制御カム
７０  バネ手段
７１  ローラ
７２  偏心部
【図１】
2020518519.tif 000003
【図２】
2020518519.tif 000004
【図３】
2020518519.tif 000005
【図４】
2020518519.tif 000006
【図５Ａ】
2020518519.tif 000007
【図５Ｂ】
2020518519.tif 000008
【図６】
2020518519.tif 000009
【図７】
2020518519.tif 000010
【図８】
2020518519.tif 000011
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
包装体（１３、６３）、好ましくは厚紙複合包装体に追加要素（２）、特にストローを貼着するための貼着装置（２３、６１）であって、
少なくとも２つの貼着器（２２）が設けられ、前記貼着器（２２）は、共通の周囲搬送トラックに沿って前記追加要素（２）を取り出すための取り出し位置（２４）から前記包装体（１３、６３）に前記追加要素（２）を貼着するための貼着位置（２７）まで、および後方へと調整可能であり、かつそれぞれが前記追加要素（２）を前記包装体（１３、６３）に押し付けるための少なくとも１つの貼着用フィンガー（３０）を含み、前記貼着器（２２）はそれぞれ基部（４９）を含み、前記貼着器（２２）の前記少なくとも１つの貼着用フィンガー（３０）は前記基部（４９）に対して枢動軸（５０）の周りを枢動可能であるように設けられることによって、前記少なくとも１つの貼着用フィンガー（３０）は関連する前記貼着器（２２）の前記貼着位置（２７）において前記包装体（１３、６３）の方向に枢動可能である、貼着装置（２３、６１）において、
前記追加要素（２）を案内し、かつ前記追加要素（２）と追加要素ガイド（２５）とをそれぞれ少なくとも部分的に前記取り出し位置（２４）と前記貼着位置（２７）との間で接触させるために追加要素ガイド（２５）が設けられること、
を特徴とする、貼着装置。
【請求項２】
前記少なくとも２つの貼着器（２２）は、前記周囲搬送トラックの上に均一に分散されることを特徴とする、請求項１に記載の貼着装置。
【請求項３】
前記周囲搬送トラックは円形トラックであり、好ましくは前記貼着器（２２）は、位置決め回転軸（２６）の周りを回転する貼着ホイール（２８、６７）および／または貼着カルーセルに固着されることを特徴とする、請求項１または２に記載の貼着装置。
【請求項４】
前記貼着用フィンガー（３０）は前記追加要素（２）を少なくとも部分的に受け取り、かつ／または保持するために設計されることを特徴とする、請求項１〜３の何れか一項に記載の貼着装置。
【請求項５】
前記追加要素（２）を前記追加要素ガイド（２５）に押し付けるために前記貼着器（２２）の前記貼着用フィンガー（３０）が設けられることを特徴とする、請求項１〜４の何れか一項に記載の貼着装置。
【請求項６】
前記貼着用フィンガー（３０）は、前記追加要素（２）を保持し、前記追加要素（２）を前記追加要素ガイド（２５）に押し付け、かつ／または前記追加要素（２）を前記包装体（１３、６３）に押し付けるためにバネで荷重および／または予め荷重されることを特徴とする、請求項１〜５の何れか一項に記載の貼着装置。
【請求項７】
前記貼着用フィンガー（３０）に隣接する前記貼着器（２２）は、前記追加要素（２）の前記搬送デバイス（１４）において前記貼着用フィンガー（３０）によって少なくとも部分的に保持される前記追加要素（２）を噛み合う方式で案内するためのガイドフィンガー（２９）を含むことを特徴とする、請求項１〜６の何れか一項に記載の貼着装置。
【請求項８】
前記貼着器（２２）はそれぞれ配向枢動軸（６８）の周りを取り出し配向から貼着配向まで、および後方へと枢動可能であり、好ましくは前記貼着器（２２）の前記配向枢動軸（６８）は、前記貼着ホイール（２８、６７）および／または貼着カルーセルの前記位置決め回転軸（２６）に対して傾けられて、特に少なくとも実質的に垂直に配向されることを特徴とする、請求項１〜７の何れか一項に記載の貼着装置。
【請求項９】
包装体（１３、６３）、好ましくは厚紙複合包装体に追加要素（２）、特にストローを貼着するための貼着デバイス（１、６０）であって、包装体搬送トラックに沿って前記包装体（１３、６３）を搬送するための少なくとも１つの搬送装置（１４）を有する、貼着デバイス（１、６０）において、
前記包装体搬送トラック（１５）に沿って搬送される前記包装体（１３、６３）に前記追加要素（２）を貼着するために、請求項１〜８の何れか一項に記載の貼着装置（２３）が設けられること、を特徴とする、貼着デバイス（１、６０）。
【請求項１０】
請求項１〜８の何れか一項に記載の貼着装置（６１）によって、包装体（１３、６３）、特に厚紙複合包装体に追加要素（２）、特にストローを貼着するための方法であって、
−  好ましくは少なくとも実質的に均一に分散された前記少なくとも２つの貼着器（２２）が、共通の周囲搬送トラックに沿って前記追加要素（２）を取り出すための取り出し位置（２４）から前記包装体（１３、６３）に前記追加要素（２）を貼着するための貼着位置（２７）まで、および後方へと調整され、
−  前記貼着位置（２７）において、前記追加要素（２）はそれぞれ前記貼着器（２２）の少なくとも１つの貼着用フィンガー（３０）によって前記包装体（１３、６３）に押し付けられる、
方法。
【請求項１１】
前記貼着器（２２）は、回転する貼着ホイール（２８、６７）および／または貼着カルーセル上に好ましくは配置されて、円形トラックに関して回転する、請求項１０に記載の方法。
【請求項１２】
−  前記貼着器（２２）から前記追加要素（２）を取り出すときに、貼着用フィンガー（３０）は復元力に対して調整され、特に枢動され、かつ／または
−  前記追加要素（２）は少なくとも部分的に、前記取り出し位置（２４）と前記貼着位置（２７）との間で、バネで荷重および／もしくは予め荷重された貼着用フィンガー（３０）によって特に窪みの中に保持され、かつ／または
−  前記追加要素（２）は少なくとも部分的に、前記取り出し位置（２４）と前記貼着（２７）との間で、バネで荷重および／または予め荷重された貼着用フィンガー（３０）によって前記追加要素（２）を案内するための追加要素ガイド（２５）に押し付けられ、かつ／または
−  前記追加要素（２）は前記貼着位置（２７）において、バネで荷重および／または予め荷重された貼着用フィンガー（３０）によって前記包装体（１３、６３）に押し付けられる、
請求項１０または１１に記載の方法。
【請求項１３】
前記追加要素（２）は前記取り出し位置（２４）と前記貼着位置（２７）との間で、ガイドフィンガー（２９）によって前記貼着用フィンガー（３０）に隣接して少なくとも部分的に噛み合う方式で案内および／または保持される、請求項１０〜１２の何れか一項に記載の方法。
【請求項１４】
−  前記取り出し位置（２４）と前記貼着位置（２７）との間の前記貼着器（２２）は、それぞれ配向枢動軸（６８）の周りを取り出し配向から貼着配向まで枢動され、
−  好ましくは、前記貼着器（２２）は、前記貼着器ホイール（２８、６７）および／または貼着カルーセルの前記位置決め回転軸（２６）に対して少なくとも実質的に垂直である前記配向枢動軸（６８）の周りを枢動される、
請求項１０〜１３の何れか一項に記載の方法。
【国際調査報告】
2020518519.tif 000012
2020518519.tif 000013
2020518519.tif 000014
2020518519.tif 000015
2020518519.tif 000016
2020518519.tif 000017